(57)【要約】  運搬システムのためのパレット（１）であって、本体（２）、本体（２）に取り付けられる、第１案内ディスク（３）及び第２案内ディスク（４）を備え、第１スライドプレート（９）が第１案内ディスク（３）に搭載され、且つ第２スライドプレート（１０）が第２案内ディスク（４）に搭載され、前記スライドプレート（９、１０）が案内ディスク（３、４）に複数の突起（１１、１２、１３）によりスナップ固定で搭載されることを特徴とする運搬システムのためのパレット（１）。本発明の利点はパレットが簡単に、運搬システムの異なる用途に適合することができることである。
2010538940.tif 000002
【特許請求の範囲】
【請求項１】
運搬システムのためのパレット（１）であって、
本体（２）、本体（２）に取り付けられる、第１案内ディスク（３）及び第２案内ディスク（４）を備え、
第１スライドプレート（９）が第１案内ディスク（３）に搭載され、且つ第２スライドプレート（１０）が第２案内ディスク（４）に搭載され、
前記スライドプレート（９、１０）が案内ディスク（３，４）に複数の突起（１１，１２，１３）によりスナップ固定で搭載されることを特徴とする運搬システムのためのパレット（１）。
【請求項２】
前記案内ディスクが、スライドプレート（９）の少なくとも１つの突起（１１，１２）の固定溝（２１，２２）と相互作用するように適合された固定ノーズ（１９，２０）を有する少なくとも１つのキャッチ（１４、１５）を含むことを特徴とする請求項１に記載の装置。
【請求項３】
前記少なくとも１つのキャッチ（１４，１５）が弾性を有することを特徴とする請求項２に記載の装置。
【請求項４】
前記少なくとも１つの突起（１１、１２）が弾性を有することを特徴とする請求項２に記載の装置。
【請求項５】
前記少なくとも１つの突起（１１、１２）がフック形状であることを特徴とする請求項２に記載の装置。
【請求項６】
前記案内ディスク（３，４）は、スライドプレート（９）の第３突起（１３）と相互作用するように適合された固定ショルダー（１７）を備えることを特徴とする請求項１〜５のいずれか１項に記載の装置。
【請求項７】
前記第３突起（１３）が弾性を有することを特徴とする請求項６に記載の装置。
【請求項８】
前記第３突起が、固定ショルダー（１７）と相互作用するための固定アーム（１８）を備えることを特徴とする請求項６又は７に記載の装置。
【請求項９】
システムがさらに異なる種類からなる第２の組のスライドプレートを備えることを特徴とする請求項１〜８のいずれか１つに記載のパレットを備えたパレットシステム。
【請求項１０】
第２スライドプレートが、プラスチックスライドプレート、金属で製造されたスライドプレート、導電性プラスチックで製造されたスライドプレート、又はローラを備えたスライドプレートのうちの１つであることを特徴とする請求項９に記載のパレットシステム。
【発明の詳細な説明】
【技術分野】
【０００１】
本願発明は運搬システムのための取替え可能なスライドプレートを備えたパレットに関する。
【背景技術】
【０００２】
運搬装置、例えば、工場の中で異なるステーションの間の動く対象物のために使用されるようなものは、通常ベルト又はチェーンの形態の運搬トラックを備える。運搬トラックは、垂直側面を備えた溝で窪ませたものとすることができる。代替的に、それらは、溝の水平上部表面に位置するか、他のいくつかの方法で配置されることができる。パレットとしても知られる運搬されるべき対象物は、直接的又は支持手段を経由して、運搬トラックに対して滑動可能に配置される。
【０００３】
パレットは、運搬装置に沿って運搬され、運搬装置は異なるワークステーションを備えている。運搬装置は、異なる環境に適合されることができる。幾つかの場合では、運搬装置は、クリーンな環境におかれ、そこでは例えば対象物が予め製造されたパーツから組み立てられて、機械加工は全然なされていない。そのような環境では、運搬トラック及びパレットのための仕様は、要求が少ないものとすることができる。運搬チェーンは平易なプラスチックチェーンとすることができ、パレットにはプラスチック案内プレートが備えられる。運搬チェーン及び／又はパレットはまたクリーンな環境のために意図された他の種類のものとすることができる。
【０００４】
例えば、機械加工が、パレットにより運ばれる対象物上で実行されたり、又は埃、金属チップ又は類するものがあるところのように、運搬装置が困難な環境に位置しているときには、耐摩耗性に関して運搬チェーン及びパレットに高い要求がなされる。運搬チェーンは、例えば、スチールトップが備えられることができ、運搬トラックの内装を保護する種類のものとすることができる。パレットにはスチールスライドプレートを備えることができる。スライドプレートは、例えば、ねじ又はリベットでパレットに取り付けられるか、またはパレットに一体化されることができる。
【０００５】
通常、運搬チェーンの高さはチェーンの種類に依存する。平易なプラスチックチェーンは通常、スチールトップを備えるチェーン又は金属チェーンとは異なる高さを有している。このようにして、特定のチェーンと一緒に使用されるパレットはそのチェーンにとって特別なものでなければならない。別の可能性としては、特定の組み合わせに対してガイドレールの高さを適合させることが挙げられる。このようにしてそれらの間で選ばれる沢山の異なる運搬チェーン及びパレットの種類があり、前もって要求に応じて選択されなければならない。
【０００６】
異なる種類の生産物、例えば、クリーン及びタフな両方の環境の生産物を伴ういくつかの産業にとって、これは、全ての種類の運搬チェーンをサポートすることができるために、沢山の異なるパレットが必要とされることを意味する。これは両方非経済的であって、余分な保管空間が必要になる。このように改善のための余地がある。
【発明の概要】
【発明が解決しようとする課題】
【０００７】
従って、本発明の目的は、運搬システムのための交換可能なスライドプレートを備えたパレットを提供することである。
【０００８】
本発明のさらなる目的は、交換可能なスライドプレートを備えたパレットシステムを提供することある。本発明の別の目的は交換可能なスライドプレートを備えたパレットを備えた運搬システムを提供することである。
【課題を解決するための手段】
【０００９】
本発明による問題の解決は、請求項１の特徴部分に記載される。請求項９は有利なパレットシステムを含む。他の請求項は、有利な実施形態並びに誘導装置のさらなる進展を含む。
【００１０】
運搬システムのためのパレットにおいて、本体、本体に取り付けられている第１案内ディスク及び第２案内ディスクを備え、第１スライドプレートは第１案内ディスクに搭載され、第２スライドプレートは第２案内ディスクに搭載され、本発明の対象は、スライドプレートは複数の突起によりスナップ固定された案内ディスクに搭載される。
【００１１】
本発明のパレットのこの第１実施形態により、パレットのスライドプレートは簡単に交換又は入れ替えることができる。これは、簡単な方法で、道具を使用する必要がなく、パレットが他の用途に最適化されることができるという点で有利である。
【００１２】
本発明の有利な発展において、案内ディスクは、スライドプレートの少なくとも１つの突起にある固定溝と相互作用するために適した固定ノーズを有する少なくとも１つのキャッチを備える。これは、スライドプレートが自動的な工程で搭載されることができるという利点がある。
【００１３】
本発明の別の有利な発展では、少なくとも１つのキャッチ及び／又は少なくとも１つの突起が弾性を有する。これはスライドプレートの容易な搭載及び取り外しを可能にする。
【００１４】
本発明の別の有利な発展では、案内ディスクがスライドプレートの第３突起と相互作用するために適合された固定ショルダーを備える。これはスライドプレートを案内ディスクに安全に固定することを可能にする。
【００１５】
本発明の別の有利な発展では、第３の突起が弾性を有する。これはスライドプレートの容易な搭載及び取り外しを可能にする。
【００１６】
パレットシステムにおいて、本発明のパレットを備えており、システムはさらに、異なる種類のスライドプレートの第２セットを備える。これは、同じパレットを第２運搬システムにおいて使用することができ、例えば、異なる環境のために組立てることができ、又は異なる高さの案内レールを有することができるので、有利である。
【００１７】
本発明のシステムの有利なさらなる発展において、第２スライドプレートは、プラスチックスライドプレート、金属で製造されたスライドプレート、導電性プラスチックで製造されたスライドプレート、又はローラを備えたスライドプレートのうちの１つである。これはパレットが、簡単な方法で複数の異なる運搬システムに適合されることができる点で有利である。
【００１８】
本発明は添付の図面で示される実施形態を参照して、以下に更に詳細に記載される。
【図面の簡単な説明】
【００１９】
【図１】本発明によるパレットの第１実施形態を示す図である。
【図２】以下の発明によるパレットを示す図である。
【図３】以下の発明によるパレットのためのスライドプレートを示す図である。
【図４ａ】本発明によるパレットのための異なる種類のスライドプレートを示す図である。
【図４ｂ】本発明によるパレットのための異なる種類のスライドプレートを示す図である。
【図４ｃ】本発明によるパレットのための異なる種類のスライドプレートを示す図である。
【発明を実施するための形態】
【００２０】
以下に記載されたさらなる発展を伴う本発明の実施形態は、単に例として考えられるべきであり、特許請求の範囲によりもたらされる保護範囲を限定するものでは決してない。
図１は、本発明による運搬システムのためのパレットの第１実施形態を示し、図２は以下の同じパレットを示す。パレット１は本体２、第１案内ディスク３及び第２案内ディスク４を備える。案内ディスク３，４は、本体の下側６、すなわち、本体の下に位置する。本体はさらに、上部支持表面５を備える。本体は、アルミニウム合金又はプラスチック複合物などの軽いがしっかりとした材料から作られるのが好ましい。本体は射出成形を使用して製造されてもよい。支持表面５は固定手段、例えば、運搬されるべき対象物のためのホルダーを搭載することができる、ねじ穴を備える。
【００２１】
案内ディスク３，４は本体に一体化されることができるが、より好ましくは、もし第１案内ディスクが壊れるか、磨耗した場合に、新しい案内ディスクが本体に適合されることができるように、案内ディスクが本体に合うように作られる。好ましい搭載方法はネジ又はクリップでありうる。案内ディスクは好ましくはプラスチック材料のような低摩擦材料から製造される。これにより案内ディスクと案内レールの間の摩擦ができる限り減らされる。
【００２２】
案内ディスクは、運搬トラックのパレットを案内するために適合されている。案内ディスクはこのようにして側面案内表面７，８に備えられていて、運搬トラックの案内レールの間のパレットを横から案内することを目的としている。第１案内ディスク３は第１案内表面７を備えており、第２案内ディスク４は第２案内表面８を備えている。案内表面７，８９の高さは、案内レールの高さに対応し、このようにして、案内表面は案内ディスクの全高さを超える必要はない。
【００２３】
案内ディスクはさらにスライドプレートを備え、その上でパレットが運搬トラックで運搬指されている。第１案内ディスク３は第１スライドプレート９を備え、第２案内ディスク４は第２スライドプレート１０を備える。異なる種類のスライドプレートがあり、それらは特定の用途の要求に合うように異なる形状及び材料で作られている。もし低摩擦が要求されているのであれば、低摩擦プラスチック又はローラさえも、スライドプレートで使用されても良い。もし高い磨耗耐性が要求されているのであれば、スライドプレートは金属から作られてもよい。
【００２４】
案内ディスク及びスライドプレートの高さは、パレットの下側に対する高さを決定する。この寸法は、代わりに要求される案内レールの高さを決定する。その高さとは運搬チェーンの上側から案内レールの上側までの距離である。パレットは案内レールの上側で支えられないので、パレットが運搬されるとき、パレットの下側と案内レールの上側の間に小さな遊びを設けるべきである。パレットはこのように、運搬チェーンに対してスライドプレートを設け、案内レールの内側の１つに対して側面案内表面を設けて運搬トラック上で支える。
【００２５】
案内レールは案内レールブラケットを使用することにより運搬梁に取り付けられる。案内レールブラケットは通常固定された高さの種類のものであり、それは搭載及び運搬システムの調節を容易にする。この結果は、案内レールの高さが固定され、大きな困難を伴ってのみ、すなわち、システム全体を再構築することにより、変えることができる。運搬チェーンはチェーンの種類によって異なる高さを有しているので、案内ディスク及びスライドプレートが、使用される運搬チェーン及び案内レールに応じて選択されてなければならない。このようにして、通常の運搬システムにおいては、運搬トラックとパレットの専用のセットが使用され、１つの特定の運搬システムに適合される。
【００２６】
発明されたパレットにおいて、スライドプレートは簡単に、パレットを他の使用に適合させるために、他のスライドプレートにより交換されることができる。これは別の運搬システムのパレットの使用を可能にし、異なる種類の運搬チェーンを有し、又は例えば、別の種類のスライドプレートを搭載することにより、パレットの特性を、存在する運搬システムでの新たな使用のために適合することを可能にする。これはまた、損傷したスライドプレートの簡単で素早い交換を可能にする。
【００２７】
スライドプレート９、１０は、図３で図示されているように、この例では、内側に第１突起１１及び第２突起１２を備え、外側に第３突起１３を備える。外側及び内側とは、スライドプレートがパレットに搭載されるときの、パレットでの方向を示す。第１突起１１は第１固定溝２１を備え、及び第２突起は第２固定溝２２を備える。２つの内側突起は、案内ディスクの第１キャッチ１４及び第２キャッチ１５の周りに配置される。第１キャッチ１４は第１固定ノーズ１９を備え、第２キャッチ１５は第２固定ノーズ２０を備える。固定ノーズは、フック空間にキャッチを形成する。これにより、スライドプレートが搭載される場合に２つの内側突起がしっかりと所定の位置に保持されることができるようにする。キャッチ１４、１５は、さらに幾分か弾性を有する。これにより、スライドプレートの自動搭載を容易にし、及びスライドプレートが搭載される場合に許容差異により引き起こされる任意の遊びを補償する。
【００２８】
第１突起１１、第２突起１２及び第３突起１３は全て、外側からの第１キャッチ１４、第２キャッチ１５及び固定ショルダー１７と相互作用することを目的としている。第１固定溝２１及び第２固定溝２２はこのように内側に向いている。対応して、第１固定ノーズ１９、第２固定ノーズ２０及び固定ショルダーは外側に向いている。これは、スライドプレートが搭載されるときに、第１突起１１が第１キャッチを実質的に覆い、第２突起が第２キャッチを実質的に覆い、第３突起が固定ショルダー１７を実質的に覆うことを意味している。外側固定手段を使用することの利点は、スライドプレートの除去が簡単になり、スライドプレートの保持が単純化されることである。これはスライドプレートの内側のデザインを単純化する。
【００２９】
第３突起１３は、この実施形態において、開口１６を備える。開口は、案内ディスクの固定ショルダー１７と相互作用するように適合される。固定ショルダーは、第３突起が固定ショルダーにスナップ固定されることを可能にする斜面を備える。第３突起はスライドプレートの搭載を可能にするために幾分か弾性を有する。スライドプレートを固定するために固定アーム及び開口を使用する１つの利点は、適切にスライドプレートが固定されたときに、固定ショルダーが開口で見えることである。固定アームは、スライドプレートが搭載又は除去されるときに固定ショルダー周りに回動することができる。第３突起１３及び固定ショルダー１７はこのようにヒンジに類似する。１つの実施形態において、第３突起は、固定アームの代わりに弾性を有するキャッチを備える。
【００３０】
スライドプレートは２つの方法で搭載されることができる。第１の方法においては、搭載は自動的な工程でなされる。自動的な工程では、スライドプレートは、平行な方法で案内ディスクに向かって動かされる。３つの搭載点は、この場合には、同時に一緒にパチンと締められる。２つのパーツが一緒に搭載される直前に、第１突起１１は第１キャッチ１４を押さえ、第２突起１２は第２キャッチ１５を押さえ、第３突起１３は固定ショルダー１７を押さえようとする。スライドプレートが案内ディスクに近接して力を受けるとき、第１突起１１及び第１キャッチ１４は共に幾分か跳ね、第１突起の前部分が第１キャッチのノーズを通ることを可能にする。第２突起１２及び第２キャッチ１５も同じである。同時に、第３突起１３は固定ショルダー１７で跳ねる。これにより第３突起の固定アーム１８は固定ショルダーを通すことができる。スライドプレートが案内ディスクを担うときは、それは３つの突起によって案内ディスクに固定される。このように第１固定溝２１は第１固定ノーズ１９に対して固定され、第２固定溝２２は第２固定ノーズ２０に対して固定され、そして固定アーム１８は固定ショルダー１７により固定される。
【００３１】
スライドプレートを案内ディスクに搭載する第２の方法において、搭載は手によりなされるが、自動的にすることもできる。これは、必要性が生じたときに、どんな道具の必要もなく操作者が簡単にスライドプレートを交換することができるという点で有利である。手動搭載において、スライドプレートは、最初に、第３突起１３の固定アーム１８が、固定ショルダー１７の下に位置するように、配置され、第３突起１３の開口１６が固定ショルダー１７を囲むようにする。
【００３２】
スライドプレートは、この例においては、キャッチ１４、１５から離れて保持されている。搭載中、スライドプレートは、第１突起１１が第１固定キャッチ１４を押さえ、第２突起１２が第２キャッチ１５に押さえるように、第３突起周りで回転される。幾分か力をスライドプレートに加えることにより、第１固定溝２１が第１固定ノーズ１９により捕まえられるように、第１突起１１及び第１キャッチ１４が幾分か跳ね、第２固定溝が第２固定ノーズ２０により捕まれられるように、第２突起と第２キャッチ１５が幾分か跳ねる。手動搭載においては、全ての突起は同時に曲がってはいけないので、スライドプレートを手動で搭載するときに必要な力は、自動的な搭載中に必要な力よりも低い。
【００３３】
スライドプレートを案内ディスクから取り除くために、固定溝が固定ノーズから解放されるように、第１及び第２突起は曲げられる。固定アームが固定ショルダーから解放されるように、第３突起を曲げることも可能である。突起のデザインに応じて、道具、例えばスクリュードライバーを使用するか又は手で解放が行われる。
【００３４】
発明されたパレットシステムは、パレット及び簡単に交換することが可能な沢山の異なるスライドプレートを含む。図４ａ〜ｃはシステムに備えられるパレットのための異なる種類のスライドプレートの幾つかの例を示す。図４ａでは、金属で作られたスライドプレートが示され、図４ｂにおいてはローラーを備えたスライドプレートが示され、及び図４ｃにおいてはプラスチックスライドプレートが示される。プラスチックスライドプレートは適したプラスチック材料、例えばポリアミド、アセタール樹脂又は導電性アセタール樹脂で作ることができる。
【００３５】
本発明は上に記載された実施形態に限定されるものとみなされることがなく、沢山の追加の変形及び修正が、後述の特許請求の範囲の範囲内にあるとすることができる。スライドプレートを案内ディスクに固定する固定手段は、例えば任意の適した種類のものとしてよい。
【符号の説明】
【００３６】
１  パレット
２  本体
３  第１案内ディスク
４  第２案内ディスク
５  上部支持表面
６  下側
７  第１案内表面
８  第２案内表面
９  第１スライドプレート
１０  第２スライドプレート
１１  第１突起
１２  第２突起
１３  第３突起
１４  第１キャッチ
１５  第２キャッチ
１６  開口
１７  固定ショルダー
１８  固定アーム
１９  第１固定ノーズ
２０  第２固定ノーズ
２１  第１固定溝
２２  第２固定溝
２３  金属スライドプレート
２４  ローラースライドプレート
２５  プラスチックスライドプレート
【図１】
2010538940.tif 000003
【図２】
2010538940.tif 000004
【図３】
2010538940.tif 000005
【図４ａ】
2010538940.tif 000006
【図４ｂ】
2010538940.tif 000007
【図４ｃ】
2010538940.tif 000008
【国際調査報告】
2010538940.tif 000009
2010538940.tif 000010
2010538940.tif 000011
2010538940.tif 000012